(57)【要約】【課題】情報画像の虚像と外界像との視認性を共に確保する。【解決手段】車両８にて室外の外界像１２を室内から視認可能に透過させるコンバイナ８３へ表示像１０を投影することで、当該表示像１０の虚像１００を室内から視認可能に表示するヘッドアップディスプレイ装置１は、車両８の関連情報を報知する情報画像１０Ａ１，１０Ａ２と共に、それら各情報画像１０Ａ１，１０Ａ２の外縁全体を縁取る縁取り画像１０Ｂ１，１０Ｂ２を、表示像１０として形成する表示ユニット５と、縁取り画像１０Ｂ１，１０Ｂ２の虚像１００が情報画像１０Ａ１，１０Ａ２の虚像１００の外縁から離れるほど外界像１２の透過率が高くなるグラデーション状態にて発光表示されるように、表示ユニット５による情報画像１０Ａ１，１０Ａ２及び縁取り画像１０Ｂ１，１０Ｂ２の形成を制御する制御ユニット７とを、備える。【選択図】図２
2015160571.tif 000002
【特許請求の範囲】
【請求項１】
移動体（８）において室外の外界像（１２）を室内から視認可能に透過させる表示部材（８３）へ表示像（１０）を投影することにより、当該表示像の虚像（１００）を前記室内から視認可能に表示するヘッドアップディスプレイ装置（１）であって、
前記移動体の関連情報（Ｉ１，Ｉ２，Ｉ３）を報知する情報画像（１０Ａ１，１０Ａ２，１０Ａ３）と共に、当該情報画像の外縁全体を縁取る縁取り画像（１０Ｂ１，１０Ｂ２，１０Ｂ３）を、前記表示像として形成する表示ユニット（５）と、
前記縁取り画像の前記虚像が前記情報画像の前記虚像の外縁から離れるほど前記外界像の透過率が高くなるグラデーション状態にて発光表示されるように、前記表示ユニットによる前記情報画像及び前記縁取り画像の形成を制御する制御ユニット（７）とを、備えることを特徴とするヘッドアップディスプレイ装置。
【請求項２】
前記表示ユニットは、前記関連情報の報知により果たす機能毎に複数種類に分けて、前記情報画像を形成し、
前記制御ユニットは、各種類の前記情報画像の前記虚像をそれぞれ縁取る前記縁取り画像の前記虚像が相異なった色調（Ｃ１，Ｃ２，Ｃ３）のグラデーション状態にて発光表示されるように、前記表示ユニットによる前記情報画像及び前記縁取り画像の形成を制御することを特徴とする請求項１に記載のヘッドアップディスプレイ装置。
【請求項３】
前記制御ユニットは、前記表示ユニットが同時に形成する少なくとも二種類の前記情報画像の前記虚像に対して、それぞれを縁取る前記縁取り画像の前記虚像が相異なった色調のグラデーション状態にて発光表示されるように、前記表示ユニットによる前記情報画像及び前記縁取り画像の形成を制御する請求項２に記載のヘッドアップディスプレイ装置。
【請求項４】
前記制御ユニットは、前記表示ユニットが切替えて形成する少なくとも二種類の前記情報画像の前記虚像に対して、それぞれを縁取る前記縁取り画像の前記虚像が相異なった色調のグラデーション状態にて発光表示されるように、前記表示ユニットによる前記情報画像及び前記縁取り画像の形成を制御する請求項２又は３に記載のヘッドアップディスプレイ装置。
【発明の詳細な説明】
【技術分野】
【０００１】
本発明は、表示像の虚像を移動体の室内から視認可能に表示するヘッドアップディスプレイ装置（以下、「ＨＵＤ装置」という）に関する。
【背景技術】
【０００２】
従来、移動体において室外の外界像を室内から視認可能に透過させる半透過型の表示部材へ表示像を投影することで、当該表示像の虚像を表示するようにしたＨＵＤ装置が、知られている。
【０００３】
こうしたＨＵＤ装置の一種として特許文献１に開示のものでは、移動体の関連情報を報知する表示パターンとしての情報画像と共に、情報画像の外縁全体を縁取る輪郭としての縁取り画像が、表示出力部により形成されている。そして、これら情報画像と縁取り画像とからなる表示像の形成が表示制御部により制御されることで、背景として表示部材を通して視認される外界像と異なる色調にて、輪郭が虚像表示されようになっている。
【先行技術文献】
【特許文献】
【０００４】
【特許文献１】特開２００５−１３８８０１号公報
【発明の概要】
【発明が解決しようとする課題】
【０００５】
さて、特許文献１に開示のＨＵＤ装置では、所定幅を有する縁取り画像の虚像により、情報画像の虚像が外界像とは分離して明瞭に視認され得るが、当該所定幅分、縁取り画像が外界像の視認を阻害することになる。
【０００６】
本発明は、以上説明した問題に鑑みてなされたものであって、その目的は、情報画像の虚像と外界像との視認性を共に確保するＨＵＤ装置を、提供することにある。
【課題を解決するための手段】
【０００７】
上述した課題を解決するために開示された発明は、移動体（８）において室外の外界像（１２）を室内から視認可能に透過させる表示部材（８３）へ表示像（１０）を投影することにより、当該表示像の虚像（１００）を室内から視認可能に表示するヘッドアップディスプレイ装置（１）であって、移動体の関連情報（Ｉ１，Ｉ２，Ｉ３）を報知する情報画像（１０Ａ１，１０Ａ２，１０Ａ３）と共に、当該情報画像の外縁全体を縁取る縁取り画像（１０Ｂ１，１０Ｂ２，１０Ｂ３）を、表示像として形成する表示ユニット（５）と、縁取り画像の虚像が情報画像の虚像の外縁から離れるほど外界像の透過率が高くなるグラデーション状態にて発光表示されるように、表示ユニットによる情報画像及び縁取り画像の形成を制御する制御ユニット（７）とを、備えることを特徴とする。
【０００８】
この発明では、移動体の関連情報を報知する情報画像と共に、情報画像の外縁全体を縁取る縁取り画像が形成される。その結果、幅を持つことになる縁取り画像の虚像により、情報画像の虚像が外界像とは分離して明瞭に視認され得る。しかも、縁取り画像の虚像は、情報画像の虚像の外縁から離れるほど外界像の透過率が高くなるグラデーション状態にて、発光表示される。これによれば、縁取り画像の虚像が縁取りの幅を持つことに起因して外界像の視認が阻害されるのを、抑制し得る。したがって、これら分離視認作用と視認阻害抑制作用とから、情報画像の虚像と外界像との視認性を共に確保可能となる。
【０００９】
また、開示された別の発明によると、表示ユニットは、関連情報の報知により果たす機能毎に複数種類に分けて、情報画像を形成し、制御ユニットは、各種類の情報画像の虚像をそれぞれ縁取る縁取り画像の虚像が相異なった色調（Ｃ１，Ｃ２，Ｃ３）のグラデーション状態にて発光表示されるように、表示ユニットによる情報画像及び縁取り画像の形成を制御する。
【００１０】
この発明によると、縁取り画像の虚像は、関連情報の報知により果たす機能毎に分けられた各種類の情報画像の虚像をそれぞれ縁取るように、相異色調のグラデーション状態にて発光表示される。これによれば、虚像としての表示下、グラデーション状態にて視認性の確保された縁取り画像の色調から、内側の情報画像がそれぞれ果たす機能を直感的に区別して把握可能になる。
【図面の簡単な説明】
【００１１】
【図１】一実施形態のＨＵＤ装置を示す構成図である。
【図２】一実施形態のＨＵＤ装置による虚像の表示状態を示す正面図である。
【図３】一実施形態のＨＵＤ装置による虚像の表示状態を示す正面図である。
【図４】一実施形態のＨＵＤ装置による表示色調を示す模式図である。
【発明を実施するための形態】
【００１２】
以下、本発明の一実施形態を図面に基づいて説明する。
【００１３】
図１に示すように、本発明の一実施形態によるＨＵＤ装置１は、「移動体」としての車両８に搭載されて、インストルメントパネル８０内に収容されている。ＨＵＤ装置１は、車両８において室内前方の透光性ウインドシールド８１よりも運転席８２側に配置された「表示部材」としての透光性コンバイナ８３へと向かって、表示像１０を投影する。その結果、車両８の室内では、コンバイナ８３において反射した表示像１０の光束が、乗員９のアイポイント９０へと到達する。室内乗員９は、アイポイント９０への到達光束を知覚することで、ウインドシールド８１よりも前方に結像される表示像１０の虚像１００を視認する。このとき、ウインドシールド８１よりも前方の室外からコンバイナ８３を通して透過する外界像１２の光束もアイポイント９０へ到達することで、図２，３に示すように室内乗員９は、当該外界像１２を虚像１００と共に視認可能となっている。尚、コンバイナ８３は、本実施形態の如くウインドシールド８１とは離間してインストルメントパネル８０内に収納可能に設けられるもの以外にも、例えばウインドシールド８１に貼りつけられて一体的に設けられるもの等であってもよい。
【００１４】
図１に示すようにＨＵＤ装置１は、照明ユニット２、表示ユニット５、光学ユニット６及び制御ユニット７を備えている。
【００１５】
照明ユニット２は、光源３及び照明用レンズ４を組み合わせて構成されている。光源３は、例えば発光ダイオード（ＬＥＤ）等の点状発光源であり、複数設けられている。各光源３は、通電により発光することで、その発した光を照明用レンズ４に向けて投射する。照明用レンズ４は、例えば樹脂又はガラス等の透光性材料により、長方形の板状に形成されている。照明用レンズ４の入射面４Ａには、各光源３からの投射光が入射する。照明用レンズ４の出射面４Ｂからは、各光源３から入射面４Ａに入射した光が出射される。ここで照明用レンズ４は、各光源３からの光を集光するように、レンズ機能を有している。照明用レンズ４は、レンズ機能により集光させた光を表示ユニット５側へ出射する。
【００１６】
表示ユニット５は、例えばドットマトリクス型ＴＦＴ液晶パネル等の画像表示パネルであり、照明用レンズ４に対応した長方形の画面５０を有している。表示ユニット５は、画面５０を構成する複数画素の駆動により、表示像１０としてのカラー画像を当該画面５０上に形成する。表示ユニット５は、照明用レンズ４を通して受ける各光源３からの光により透過照明される。かかる照明により表示ユニット５は、画面５０上の表示像１０を発光表示させる。
【００１７】
光学ユニット６は、本実施形態では一つの凹面鏡６０を主体として、構成されている。凹面鏡６０は、例えば樹脂又はガラス等の基材にアルミニウム等の金属反射膜を蒸着させることで、反射面６０Ａを形成してなる。凹面鏡６０は、表示ユニット５の画面５０から入射する光を反射面６０Ａにより反射するように、反射機能を有している。凹面鏡６０は、反射機能により反射させた光を導光することで、表示像１０を拡大してコンバイナ８３に投影する。かかる投影により、表示像１０の虚像１００が室内乗員９から視認可能に表示される。尚、光学ユニット６としては、複数の凹面鏡６０を有するものであってもよいし、凹面鏡６０以外の反射鏡又はレンズを有するものであってもよい。
【００１８】
制御ユニット７は、例えばマイクロコンピュータ等の電子回路であり、各光源３及び表示ユニット５と電気接続されている。それと共に制御ユニット７は、車両８のうち例えば他の制御ユニットや各種センサ等と通信可能に接続されている。制御ユニット７は、車両８の関連情報に応じて各光源３への通電を制御することで、表示ユニット５を照明ユニット２により照明する。それと共に制御ユニット７は、車両８の関連情報に応じて表示ユニット５を制御することで、表示像１０の形成、ひいては室内乗員９への虚像１００の表示を実現する。
【００１９】
（虚像表示状態）
次に、表示ユニット５による表示像１０の形成を制御ユニット７が制御することで図２，３の如く実現される虚像１００の表示状態について、説明する。尚、図２，３における上下方向は、水平面上の車両８における鉛直方向と実質一致している。
【００２０】
ＨＵＤ装置１において、虚像１００として表示される表示像１０は、複数種類（ここでは三種類）の情報画像１０Ａ１，１０Ａ２，１０Ａ３と共に、それら各画像１０Ａ１，１０Ａ２，１０Ａ３毎の縁取り画像１０Ｂ１，１０Ｂ２，１０Ｂ３である。
【００２１】
図２，３に示すように第一情報画像１０Ａ１は、車両８の関連情報として常時表示させる基本情報Ｉ１を報知することで、車両８の運転支援機能を果たす。ここで基本情報Ｉ１は、本実施形態では、シフトレンジ情報と走行速度情報と外気温情報とを含んでいる。第一情報画像１０Ａ１は、そうした基本情報Ｉ１を報知するために、文字画像１０Ａ１ｌ、数字画像１０Ａ１ｎ及び図形画像１０Ａ１ｆのいずれかの形態に形成される。また、虚像１００としての表示下、それら画像１０Ａ１ｌ，１０Ａ１ｎ，１０Ａ１ｆの表示色調はいずれも、図４に示すように全情報画像１０Ａ１，１０Ａ２，１０Ａ３に共通な情報表示カラーＣ０として、本実施形態では白色に設定される。
【００２２】
図２，３に示すように第一縁取り画像１０Ｂ１は、第一情報画像１０Ａ１である文字画像１０Ａ１ｌ、数字画像１０Ａ１ｎ及び図形画像１０Ａ１ｆに対して、それら画像１０Ａ１ｌ，１０Ａ１ｎ，１０Ａ１ｆの各々の外縁全体を縁取る形態に、形成される。虚像１００としての表示下、各画像１０Ａ１ｌ，１０Ａ１ｎ，１０Ａ１ｆを縁取る第一縁取り画像１０Ｂ１の表示色調はいずれも、図４に示すように全情報画像１０Ａ１，１０Ａ２，１０Ａ３及び他の縁取り画像１０Ｂ２，１０Ｂ３とは相異ならされる第一テーマカラーＣ１として、本実施形態では青色に設定される。
【００２３】
こうして、各画像１０Ａ１ｌ，１０Ａ１ｎ，１０Ａ１ｆの虚像１００を縁取った第一縁取り画像１０Ｂ１の虚像１００が第一テーマカラーＣ１で発光表示されることで、第一情報画像１０Ａ１の果たす機能が運転支援機能であることを報知可能となっている。また、第一縁取り画像１０Ｂ１の虚像１００は、内側にあるいずれかの画像１０Ａ１ｌ，１０Ａ１ｎ，１０Ａ１ｆの虚像１００に対して、その外縁から離れるほど外界像１２の室内乗員９側への透過率を高くする図２，３のグラデーション状態に、発光表示される。かかるグラデーション状態は、内側画像１０Ａ１ｌ，１０Ａ１ｎ，１０Ａ１ｆの虚像１００の外縁から離れるほど、第一テーマカラーＣ１の輝度を低下させることで、実現される。
【００２４】
図２に示すように第二情報画像１０Ａ２は、車両８の関連情報として室内乗員９により選択されたナビゲーション情報Ｉ２を報知することで、車両８の行き先案内機能を果たす。ここでナビゲーション情報Ｉ２は、本実施形態では、行き先までの通過ポイントのうち直近の走行方向変更ポイントに関して、地名情報と方向情報と距離情報とを含んでいる。第二情報画像１０Ａ２は、そうしたナビゲーション情報Ｉ２を報知するために、文字画像１０Ａ２ｌ、数字画像１０Ａ２ｎ及び図形画像１０Ａ２ｆのいずれかの形態に形成される。また、虚像１００としての表示下、それら画像１０Ａ２ｌ，１０Ａ２ｎ，１０Ａ２ｆの表示色調はいずれも、図４に示すように全情報画像１０Ａ１，１０Ａ２，１０Ａ３に共通な情報表示カラーＣ０として、本実施形態では白色に設定される。
【００２５】
図２に示すように第二縁取り画像１０Ｂ２は、第二情報画像１０Ａ２である文字画像１０Ａ２ｌ、数字画像１０Ａ２ｎ及び図形画像１０Ａ２ｆに対して、それら画像１０Ａ２ｌ，１０Ａ２ｎ，１０Ａ２ｆの各々の外縁全体を縁取る形態に、形成される。虚像１００としての表示下、各画像１０Ａ２ｌ，１０Ａ２ｎ，１０Ａ２ｆを縁取る第二縁取り画像１０Ｂ２の表示色調はいずれも、図４に示すように全情報画像１０Ａ１，１０Ａ２，１０Ａ３及び他の縁取り画像１０Ｂ１，１０Ｂ３とは相異ならされる第二テーマカラーＣ２として、本実施形態では緑色に設定される。
【００２６】
こうして、各画像１０Ａ２ｌ，１０Ａ２ｎ，１０Ａ２ｆの虚像１００を縁取った第二縁取り画像１０Ｂ２の虚像１００が第二テーマカラーＣ２で発光表示されることで、第二情報画像１０Ａ２の果たす機能が行き先案内機能であることを報知可能となっている。また、第二縁取り画像１０Ｂ２の虚像１００は、内側にあるいずれかの画像１０Ａ２ｌ，１０Ａ２ｎ，１０Ａ２ｆの虚像１００に対して、その外縁から離れるほど外界像１２の室内乗員９側への透過率を高くする図２のグラデーション状態に、発光表示される。かかるグラデーション状態は、内側画像１０Ａ２ｌ，１０Ａ２ｎ，１０Ａ２ｆの虚像１００の外縁から離れるほど、第二テーマカラーＣ２の輝度を低下させることで、実現される。
【００２７】
図３に示すように第三情報画像１０Ａ３は、車両８の関連情報として室内乗員９により選択されたオーディオ情報Ｉ３を報知することで、車両８に搭載されるオーディオ機器（図示しない）の操作支援機能を果たす。ここでオーディオ情報Ｉ３は、本実施形態では、オーディオ機器のボリューム情報と操作情報とを含んでいる。第三情報画像１０Ａ３は、そうしたオーディオ情報Ｉ３を報知するために、文字画像１０Ａ３ｌ、数字画像１０Ａ３ｎ及び図形画像１０Ａ３ｆのいずれかの形態に形成される。また、虚像１００としての表示下、それら画像１０Ａ３ｌ，１０Ａ３ｎ，１０Ａ３ｆの表示色調はいずれも、図４に示すように全情報画像１０Ａ１，１０Ａ２，１０Ａ３に共通な情報表示カラーＣ０として、本実施形態では白色に設定される。
【００２８】
図３に示すように第三縁取り画像１０Ｂ３は、第三情報画像１０Ａ３である文字画像１０Ａ３ｌ、数字画像１０Ａ３ｎ及び図形画像１０Ａ３ｆに対して、それら画像１０Ａ３ｌ，１０Ａ３ｎ，１０Ａ３ｆの各々の外縁全体を縁取る形態に、形成される。虚像１００としての表示下、各画像１０Ａ３ｌ，１０Ａ３ｎ，１０Ａ３ｆを縁取る第三縁取り画像１０Ｂ３の表示色調はいずれも、図４に示すように全情報画像１０Ａ１，１０Ａ２，１０Ａ３及び他の縁取り画像１０Ｂ２，１０Ｂ３とは相異ならされる第三テーマカラーＣ３として、本実施形態では橙色に設定される。
【００２９】
こうして各画像１０Ａ３ｌ，１０Ａ３ｎ，１０Ａ３ｆの虚像１００を縁取った第三縁取り画像１０Ｂ３の虚像１００が第三テーマカラーＣ３で発光表示されることで、第三情報画像１０Ａ３の果たす機能がオーディオ機器の操作支援機能であることを報知可能となっている。また、第三縁取り画像１０Ｂ３の虚像１００は、内側にあるいずれかの画像１０Ａ３ｌ，１０Ａ３ｎ，１０Ａ３ｆの虚像１００に対して、その外縁から離れるほど外界像１２の室内乗員９側への透過率を高くする図３のグラデーション状態に、発光表示される。かかるグラデーション状態は、内側画像１０Ａ３ｌ，１０Ａ３ｎ，１０Ａ３ｆの虚像１００の外縁から離れるほど、第三テーマカラーＣ３の輝度を低下させることで、実現される。
【００３０】
以上説明したＨＵＤ装置１によると、図４に示すように情報画像１０Ａ１，１０Ａ２，１０Ａ３は、それぞれ情報Ｉ１，Ｉ２，Ｉ３の報知により果たす機能毎に種類分けされるが、それら機能間で共通となる情報表示カラーＣ０にて虚像表示されることになる。また一方で縁取り画像１０Ｂ１，１０Ｂ２，１０Ｂ３は、それぞれ縁取り対象の情報画像１０Ａ１，１０Ａ２，１０Ａ３が果たす機能毎に相異ならされた各別のテーマカラーＣ１，Ｃ２，Ｃ３にて、虚像表示されることになる。
【００３１】
さらにＨＵＤ装置１によると、室内乗員９からの選択指令に従って、制御ユニット７が図２の表示状態と図３の表示状態とを切替える。具体的に制御ユニット７は、表示ユニット５により第一情報画像１０Ａ１と同時に形成する情報画像を、図２の第二情報画像１０Ａ２と図３の第三情報画像１０Ａ３との間で切替える。それと共に制御ユニット７は、第一情報画像１０Ａ１を縁取る第一縁取り画像１０Ｂ１と同時に形成する縁取り画像を、図２の第二縁取り画像１０Ｂ２と図３の第三縁取り画像１０Ｂ３との間で切替える。これらの切替えにより、図２の状態では画像１０Ａ１，１０Ａ２，１０Ｂ１，１０Ｂ２が虚像表示される一方、図３の状態では画像１０Ａ１，１０Ａ３，１０Ｂ１，１０Ｂ３が虚像表示されることになる。
【００３２】
（作用効果）
ここまで説明したＨＵＤ装置１の作用効果について、以下に説明する。
【００３３】
ＨＵＤ装置１では、車両８の関連情報として各別の情報Ｉ１，Ｉ２，Ｉ３を報知する情報画像１０Ａ１，１０Ａ２，１０Ａ３と共に、情報画像１０Ａ１，１０Ａ２，１０Ａ３のそれぞれの外縁全体を縁取る縁取り画像１０Ｂ１，１０Ｂ２，１０Ｂ３が形成される。その結果、幅を持つことになる縁取り画像１０Ｂ１，１０Ｂ２，１０Ｂ３の虚像１００により、情報画像１０Ａ１，１０Ａ２，１０Ａ３の虚像１００が外界像１２とは分離して明瞭に視認され得る。しかも、縁取り画像１０Ｂ１，１０Ｂ２，１０Ｂ３の虚像１００は、情報画像１０Ａ１，１０Ａ２，１０Ａ３の虚像１００の外縁から離れるほど外界像１２の透過率が高くなるグラデーション状態にて、発光表示される。これによれば、縁取り画像１０Ｂ１，１０Ｂ２，１０Ｂ３の虚像１００が縁取りの幅を持つことに起因して外界像１２の視認が阻害されるのを、抑制し得る。したがって、これら分離視認作用と視認阻害抑制作用とから、情報画像１０Ａ１，１０Ａ２，１０Ａ３の虚像１００と外界像１２との視認性を共に確保可能となる。
【００３４】
また、ＨＵＤ装置１にて縁取り画像１０Ｂ１，１０Ｂ２，１０Ｂ３の虚像１００は、情報報知により果たす機能毎に分けられた各種類の情報画像１０Ａ１，１０Ａ２，１０Ａ３の虚像１００をそれぞれ縁取るように、相異色調のグラデーション状態に発光表示される。これによれば、虚像１００としての表示下、グラデーション状態にて視認性の確保された縁取り画像１０Ｂ１，１０Ｂ２，１０Ｂ３の色調から、内側の情報画像１０Ａ１，１０Ａ２，１０Ａ３がそれぞれ果たす機能を直感的に区別して把握可能となる。
【００３５】
さらにＨＵＤ装置１によると、図２の表示状態で同時形成される情報画像１０Ａ１，１０Ａ２の虚像１００は、相異色調のグラデーション状態にて発光表示される縁取り画像１０Ｂ１，１０Ｂ２の虚像１００により、それぞれ縁取られて表示される。これによれば、虚像１００として同時に表示された各種情報画像１０Ａ１，１０Ａ２毎の機能を、グラデーション状態の虚像表示にて視認性の確保された縁取り画像１０Ｂ１，１０Ｂ２の色調から、それぞれ個別に即座に把握可能となる。
【００３６】
また同様にＨＵＤ装置１によると、図３の表示状態で同時形成される情報画像１０Ａ１，１０Ａ３の虚像１００は、相異色調のグラデーション状態にて発光表示される縁取り画像１０Ｂ１，１０Ｂ３の虚像１００により、それぞれ縁取られて表示される。これによれば、虚像１００として同時に表示された各種情報画像１０Ａ１，１０Ａ３毎の機能を、グラデーション状態の虚像表示にて視認性の確保された縁取り画像１０Ｂ１，１０Ｂ３の色調から、それぞれ個別に即座に把握可能となる。
【００３７】
またさらに、図２，３の表示状態間にて切替えて形成される情報画像１０Ａ２，１０Ａ３の虚像１００は、相異色調のグラデーション状態にて発光表示される縁取り画像１０Ｂ２，１０Ｂ３の虚像１００により、それぞれ縁取られて表示される。これによれば、虚像１００として切替え表示された各種情報画像１０Ａ２，１０Ａ３毎の機能を、グラデーション状態の虚像表示にて視認性の確保された縁取り画像１０Ｂ２，１０Ｂ３の色調から、それぞれ切替え毎に即座に把握可能となる。
【００３８】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００３９】
変形例１では、表示ユニット５により第一情報画像１０Ａ１及び第一縁取り画像１０Ｂ１の組と同時に形成する画像を、第二情報画像１０Ａ２及び第二縁取り画像１０Ｂ２の組、又は第三情報画像１０Ａ３及び第三縁取り画像１０Ｂ３の組に固定してもよい。即ち、図２の表示状態と図３の表示状態との切替えを行わないので、それら表示状態の一方のみに固定してもよい。
【００４０】
変形例２では、表示ユニット５により形成する画像を、情報画像１０Ａ１，１０Ａ２，１０Ａ３のうち一種類と、縁取り画像１０Ｂ１，１０Ｂ２，１０Ｂ３のうち当該一種類に対応するものとに、限定してもよい。
【００４１】
変形例３では、情報Ｉ１，Ｉ２，Ｉ３の報知により果たす機能が情報画像１０Ａ１，１０Ａ２，１０Ａ３とは相異なった別の情報画像と、その縁取り画像とを、表示ユニット５により形成してもよい。この場合、別の情報画像及びその縁取り画像の組を、第二情報画像１０Ａ２及び第二縁取り画像１０Ｂ２の組、又は第三情報画像１０Ａ３及び第三縁取り画像１０Ｂ３の組に加えて、同時形成してもよい。或いは、別の情報画像及びその縁取り画像の組を、第二情報画像１０Ａ２及び第二縁取り画像１０Ｂ２の組、又は第三情報画像１０Ａ３及び第三縁取り画像１０Ｂ３の組から切替えて、形成してもよい。
【００４２】
変形例４では、情報画像１０Ａ１，１０Ａ２，１０Ａ３のうち少なくとも一種類により、報知する関連情報及び果たす機能を、上記実施形態にて説明のものから変更してもよい。例えば、車両８の関連情報としてエアコン情報を報知することで、車両８に搭載されるエアコンユニットの操作支援機能を果たす情報画像に、変更してもよい。或いは、車両８の関連情報としてエコモードでの燃費情報を報知することで、車両８の運転支援機能を果たす情報画像に、変更してもよい。或いはまた、車両８の関連情報としてスポーツモードでのエンジン回転数情報を報知することで、車両８の運転支援機能を果たす情報画像に、変更してもよい。或いはさらに、車両８の関連情報として警告情報を報知することで、車両８の異常支援機能を果たす情報画像に、変更してもよい。
【００４３】
変形例５では、情報画像１０Ａ１，１０Ａ２，１０Ａ３のそれぞれにより、報知する関連情報及び果たす機能を、互いに入替えてもよい。また、変形例６では、情報画像１０Ａ１，１０Ａ２，１０Ａ３の色調を機能毎に相異ならせてもよい。さらにまた、変形例７では、縁取り画像１０Ｂ１，１０Ｂ２，１０Ｂ３の色調を機能間で共通化してもよい。
【００４４】
変形例８では、表示ユニット５として画像表示パネル以外にも、表示像１０となる光束をスクリーン部材に投射することで、当該スクリーン部材に表示像１０を形成する表示システム等を、採用してもよい。また、変形例９では、外界像１２を室内乗員９から視認可能に透過させる透光性ウインドシールド８１を「表示部材」として、当該ウインドシールド８１への表示像１０の投影を行ってもよい。さらにまた、変形例１０では、車両８以外の船舶乃至は飛行機等の各種移動体に搭載されるＨＵＤ装置に、本発明を適用してもよい。
【符号の説明】
【００４５】
１  ヘッドアップディスプレイ（ＨＵＤ）装置、５  表示ユニット、７  制御ユニット、８  車両、９  乗員、１０  表示像、１０Ａ１  第一情報画像、１０Ａ２  第二情報画像、１０Ａ３  第三情報画像、１０Ｂ１  第一縁取り画像、１０Ｂ２  第二縁取り画像、１０Ｂ３  第三縁取り画像、１２  外界像、８１  ウインドシールド、８３  コンバイナ、１００  虚像、Ｃ０  情報表示カラー、Ｃ１  第一テーマカラー、Ｃ２  第二テーマカラー、Ｃ３  第三テーマカラー、Ｉ１  基本情報、Ｉ２  ナビゲーション情報、Ｉ３  オーディオ情報
【図１】
2015160571.tif 000003
【図２】
2015160571.tif 000004
【図３】
2015160571.tif 000005
【図４】
2015160571.tif 000006